(57)【要約】      （修正有）【課題】鎌の刃部を覆うカバーの脱着を容易に行うことができる鎌を提供する。【解決手段】鎌１は、略三日月状に湾曲して形成された刃部２と、刃部２を固定する柄３と、刃部２を収容するカバー４と、を有して構成されている。カバー４は、固定軸５を中心に刃部２の内側と柄３の間を回動可能に柄３に取り付けられ、刃部２の収容時に収容状態を固定する固定手段６を備える。【選択図】図１
2017073977.tif 000002
【特許請求の範囲】
【請求項１】
略三日月状に湾曲して形成された刃部と、前記刃部を固定する柄と、前記刃部を収容するカバーと、を有し、
前記カバーは、固定軸を中心に前記刃部の内側と前記柄の間を回動可能に前記柄に取り付けられ、前記刃部の収容時に収容状態を固定する固定手段を備えることを特徴とする鎌。
【請求項２】
前記カバーは、前記柄に巻回可能に形成され、
前記固定手段は、前記カバーが柄に巻回された状態を固定することを特徴とする請求項１に記載の鎌。
【請求項３】
前記カバーは、前記刃部と当接する面が滑り止め加工され、前記滑り止め加工された面を表側にして前記固定手段によって前記柄に固定されることを特徴とする請求項１に記載の鎌。
【請求項４】
前記カバーは、回動方向の内側の一部が切欠いて形成されることを特徴とする請求項１乃至３のいずれかに記載の鎌。
【発明の詳細な説明】
【技術分野】
【０００１】
本発明は、除草等に用いられる鎌に関し、特に、鎌と、鎌の刃部を覆うカバーとを一体に形成したものに関する。
【背景技術】
【０００２】
草刈り等に用いられる鎌には、安全対策として不使用時に刃部を覆うカバーが取り付けられている。
このようなカバーとしては、例えば、鎌とは別体として刃部に着脱可能に取り付けられており、草刈り等を行う際には、刃部からカバーを取り外して鎌のみの状態で使用されるものが開示されている（特許文献１参照）。
【先行技術文献】
【特許文献】
【０００３】
【特許文献１】実開平５−０９５２４０号公報
【発明の概要】
【発明が解決しようとする課題】
【０００４】
しかしながら、特許文献１のカバーは、鎌の刃部を覆うカバーが鎌とは別体に形成されるため、カバーの脱着が煩雑である。
このため、頻繁なカバーの脱着作業が伴う近距離の移動においては、作業者がカバーを付け忘れた状態で移動することがあり、作業者が転倒した場合、指等を切ったりする恐れがある。
【０００５】
また、外したカバーは、作業服のポケット等に収容して作業するが、作業中にポケットからカバーが抜け落ちて、カバーを紛失することもある。
さらに、作業服にポケット等が無い場合は、カバーを収容する場所がなく紛失する可能性がより高くなる問題がある。
【０００６】
そこで、本発明は係る事情に鑑みてなされたものであり、鎌の刃部を覆うカバーの脱着を容易に行うことができる鎌を提供することを主たる課題としている。
【課題を解決するための手段】
【０００７】
上記課題を達成するために、本発明に係る鎌は、略三日月状に湾曲して形成された刃部と、前記刃部を固定する柄と、前記刃部を収容するカバーと、を有し、前記カバーは、固定軸を中心に前記刃部の内側と前記柄の間を回動可能に前記柄に取り付けられ、前記刃部の収容時に収容状態を固定する固定手段を備えることを特徴としている。
【０００８】
柄に刃部を覆うカバーが固定軸を中心に前記刃部の内側と前記柄の間を回動可能に取り付けられことにより、カバーを回動させるだけで、カバーの脱着を行うことができる。また、固定手段によってカバーが柄に固定されるため、柄からカバーを外した際にカバーを紛失することを防ぐと共に、作業時にカバーが作業の邪魔となることを防ぐことができる。
【０００９】
また、カバーは、柄に巻回可能に形成され、固定手段は、前記カバーが柄に巻回された状態を固定するようにしてもよい。
このように、カバーを構成することで、カバーが鍔を構成することになり、作業者が手を滑らしたときでも、不意に刃部に触れることを防止することができる。
【００１０】
さらに、カバーは、刃部と当接する面が滑り止め加工され、前記滑り止め加工された面を表側にして固定手段によって柄に固定されるようにしてもよい。
このようにカバーを構成することで、滑り止め可能の面を柄と共に作業者が持つことで、降雨時の作業等で手元が滑り怪我をすることを防ぐことができる。
【００１１】
カバーは、回動方向の内側の一部が切欠いて形成されるようにしてもよい。
このようにカバーを構成することで、カバーを回動するときに柄とカバーが干渉することを防止することができる。
【発明の効果】
【００１２】
以上述べたように、本発明に係る鎌によれば、柄に刃部を覆うカバーが固定軸を中心に前記刃部の内側と前記柄の間を回動可能に取り付けられことにより、カバーを回動させるだけで、カバーの脱着を行うことができる。また、固定手段によってカバーが柄に固定されるため、柄からカバーを外した際にカバーを紛失することを防ぐと共に、作業時にカバーが作業の邪魔となることを防ぐことができる。
【００１３】
また、カバーは柄に巻回可能に形成されることにより、カバーを鍔として構成することができ、作業者が手を滑らしたときでも、不意に刃部に触れることを防止し、作業者がけがすることを防止することができる。
【００１４】
さらに、カバーは、刃部と当接する面が滑り止め加工されることにより、滑り止め加工された面を柄と共に作業者が持つことで、降雨時の作業等で手元が滑り怪我をすることを防ぎ、作業者の安全を確保することができる。
【００１５】
さらにまた、カバーは、回動方向の内側の一部が切欠いて形成されることにより、カバーを回動するときに柄とカバーが干渉することを防止し、スムーズにカバーを脱着することができる。
【図面の簡単な説明】
【００１６】
【図１】図１は、本発明の鎌の全体構成を示す斜視図であり、（ａ）は、カバーを鎌の刃部に取り付けた状態を示す図であり、（ｂ）は、カバーを鎌の刃部に取り外した状態を示す図である。
【図２】図２は、カバーを柄に巻回した状態を示す斜視図である。
【図３】図３は、実施例２の鎌の全体構成を示す斜視図である。
【発明を実施するための形態】
【実施例１】
【００１７】
以下、本発明に係るについて、図面を参照しながら説明する。
図１において、鎌１は、略三日月状に湾曲して形成された刃部２と、刃部２を固定する柄３と、刃部２を収容するカバー４と、を有して構成されている。
【００１８】
刃部２は、金属製のもので、基端に柄３に挿入固定される固定部（図示せず）が形成され、三日月状に形成された円弧の内側に刃２１が形成された、周知の形状をしたものである。
【００１９】
柄３は、木製で円筒状に形成されたもので、先端に、刃部２を固定する刃固定部（図示せず）と、カバー４を固定するカバー固定部（図示せず）と、が設けられている。
刃固定部は、刃部２の固定部を両側から挟み込むように形成されたもので、刃部２の固定部を刃固定部に挿通した後に釘等の固定部材で固定可能に形成されている。
【００２０】
カバー固定部は、後述する固定軸５を固定可能にその径よりも小さい固定孔が形成されており（図示せず）、固定軸５をカバー４に通してカバー固定部に固定することが可能になっている。
【００２１】
カバー４は、布や薄い皮革などの素材で柄３に巻回可能に構成され、刃部２を内側から挟み込むように収容可能に略矩形の袋状に形成されるもので、長手方向の一方（柄３に近接する内側）が閉じられ、同方向の他方（刃部２に近接する外側）が開いて形成されている。
【００２２】
またカバー４の基端には、柄３に固定する固定軸５を挿通する挿通孔４１が両側に形成され、この固定軸５を中心に刃部２の内側から柄３までの間を回動可能に柄３に設けられる。
また、刃部２の収容時に収容状態を固定する固定手段６が、刃部２の先端側と基端側とに２箇所に設けられている。
【００２３】
挿通孔４１には、破損や磨耗の防止のためグロメットが挿入され補強がなされている。
固定軸５は、ピン状のもので頭頂部は、挿通孔の径よりも大きく形成されたものである。
【００２４】
従って、カバー４は、固定軸５が挿通孔４１に挿通され、柄３のカバー固定部に固定されることにより、固定軸５を中心に刃部２の内側から柄３までの間を回動可能に柄３に取り付けられている。
【００２５】
さらに、カバー４の回動方向の内側の基端側の一部は切欠いて形成されている。この切欠いて形成された部分４２は、刃部２をカバー４から取り出す際にカバー４を柄３の方へ回動させたとき（図１（ｂ）参照）、柄３とカバー４とが干渉しないように形成されている。
【００２６】
固定手段６は、カバー４の外周を巻回可能に帯状に形成されたもので、雄（フック側）６１と雌（ループ側）６２とを備える面ファスナが先端側と基端側に設けられ、基端がカバー４の内側に縫い付けられてカバー４に固定されるもので
なお、固定手段６はタコ糸のような紐状のものを用いて、面ファスナの代わりに結びつけることによって構成することもできる。
【００２７】
カバー４は、刃部２から取り外した後に、柄３に巻き付けて固定することもできる。
具体的には、図２に示すように、カバー４を柄３に巻き付けた後に、固定手段６をカバー４の外周に巻付けて、面ファスナでその状態を固定する。
このように、カバー４を柄３に巻き付けた状態を固定することで、カバー４が鎌１の鍔としての役割を果たす。
【００２８】
以上のように、本発明の鎌１によれば、柄３に刃部２を覆うカバー４が固定軸５を中心に刃部２の内側と柄３の間を回動可能に取り付けられことにより、カバー４を回動させるだけで、カバー４の脱着を行うことができる。また、固定手段６によってカバー４が柄３に固定されるため、柄３からカバー４を外した際にカバー４を紛失することを防ぐと共に、作業時にカバー４が作業の邪魔となることを防ぐことができる。
【００２９】
また、カバー４は柄３に巻回可能に形成されることにより、カバー４を鍔として構成することができ、作業者が手を滑らしたときでも、不意に刃部２に触れることを防止し、作業者がけがすることを防止することができる。
【００３０】
さらに、カバー４は、回動方向の内側の一部が切欠いて形成されることにより、カバー４を回動するときに柄３とカバー４が干渉することを防止し、スムーズにカバー４を脱着することができる。
【実施例２】
【００３１】
上述の実施例においては、カバー４は、鎌１の鍔としての機能も果たすものであったが、柄３の滑り止めとしての機能を果たすように構成してもよい。
尚、上記実施例と同一の構成については、同一の符号を付して説明を省略する。
【００３２】
具体的には、図３に示すように、カバー４は、刃部２と当接する面（裏面）４３に滑り止め加工が施されている。
滑り止め加工は、ゴム状の凸部４４が裏面全体に亘って設けられるものである。
【００３３】
そして、滑り止め加工された面４３を表側にして柄３の周囲を覆うように被せ、固定手段６を柄３に巻き付けて面ファスナにより固定することにより、カバー４は、柄３の滑り止めとしての機能を果たす。
【００３４】
尚、本実施例において滑り止め加工は、ゴム状の凸部４４で構成するものであったが、これに限られるものではなく、例えば、摩擦力の高いゴム素材を設けて実施してもよい。
【００３５】
以上のように、カバー４は、刃部２１と当接する面４３が滑り止め加工されることにより、滑り止め可能の面４３を柄３と共に作業者が持つことで、降雨時の作業等で手元が滑り怪我をすることを防ぎ、作業者の安全を確保することができる。
【符号の説明】
【００３６】
１  鎌
２  刃部
３  柄
４  カバー
５  固定軸
６  固定手段
【図１】
2017073977.tif 000003
【図２】
2017073977.tif 000004
【図３】
2017073977.tif 000005